(57)【要約】      （修正有）【課題】開いた書物のページ押さえ具でありながら、文鎮・ペン挿し・メモ立て、その他机上や卓上の小物入れ等多機能を有しつつ、利用者の多様なニーズに応えられるように用途別のユニットが脱着可能とした机上や卓上に親しみのもてるマスコットの機能をも有するページ押さえ具を提供する。【解決手段】内部に小物を収納できる本体1ａに屈曲自在且つ一定以上の圧力を加えなければその位置を持続的に保持可能な３本以上の脚部２ａや３ａや手部や首頭部や尾部やアーム部等を有し、その先端部に設けられた係止部で開いた書物７００のページを押さえ、且つ机上や卓上で使用する長さや重さや形状の異なる小物類（例えば箸やスプーン・鉛筆・ペン６００・メモ用紙５００・リモコンなど）を保持可能なクリップ部３ｂやケース部で収納保持し、また、前記の脚部２ａや３ａや手部や首頭部や尾部やアーム部等の先端部３ｂは利用する機能によって取り換えが可能である。【選択図】図１
2013233666.tif 000002
【特許請求の範囲】
【請求項１】
一定以上の重量（文鎮程度）を有し且つ内部に小物を収納が可能な本体の自立を補助する屈曲自在且つ一定以上の圧力を加えなければその位置を持続的に保持可能な3本以上の脚部や手部や首頭部や尾部やアーム部等を有し、前記の脚部や手部や首頭部や尾部やアーム部等の全てあるいは一部の先端部に設けられ且つ滑り止め材料によって構成された係止部と前記の脚部や手部や首頭部や尾部やアーム部等の先端部に設けられ且つ机上や卓上で使用する長さや重さや形状の異なる小物類（例えば鉛筆やペン・メモ用紙・しおり等）を持続的に保持可能なクリップ部やケース部とからなり、前記の脚部や手部や首頭部や尾部やアーム部等の先端部は利用する機能によって取り換えが可能であることを特徴とするページ押さえ具
【請求項２】
上記記載のページ押さえ具において、本体を手脚部の多いカニやタコやクラゲやヒトデや昆虫やキリン等地球上の生物やそれらを模した物であったり、その他宇宙人等想像上の生物を模した物であることを特徴とする請求項１記載のページ押さえ具
【請求項３】
上記記載のページ押さえ具において、本体をペンケースや宇宙基地・建造物等想像上のあるいは既知の無機物であって、該本体に複数の脚部や手部や首頭部や尾部やアーム部等を設けたことを特徴とする請求項１記載のページ押さえ具
【発明の詳細な説明】
【技術分野】
【０００１】
本発明は、ページを固定するためのページ押さえ具に関するもので、その機能を有しつつ文鎮やペン挿し、卓上や机上の小物入れや小物収納、メモクリップ等多くの機能と卓上のマスコットとしての機能を有するページ押さえ具に関するものである。
【背景技術】
【０００２】
従来からこのような多くの機能を有するページ押さえ具は皆無であった。これは機能性だけを追求した結果によるものである。だから、前記の個々の機能を有するものは従来からあった。ぺージ固定用の物としては、特許文献１、特許文献２、特許文献３があげられる。
【０００３】
特許文献１はページを押さえるという目的とマスコット的な要素を組み合わせてはいるように見えるが、片方のページだけを押さえるので、開いた本の両ページを押さえることができない。従来からある文鎮と何ら変わらず所期の機能は有していない。支持部が自重によるか吸盤によるか磁石によるかの特徴を有するが、要はたった１つのアーム部でページを押さえるだけで、どこか歪である。マスコットというよりは単なる置物である。
【０００４】
特許文献２は本のページを左右に開いて表紙と裏表紙をそれぞれクリップではさみ背表紙にあたる中央部に軸を渡して所期の機能を果たそうというものである。これは機能は有するが、文庫本から辞典サイズの様々な書物に対応するために構造上複雑なものとなっており、また、開いた本のページが捲れないように開けておくという一つの機能しか有していない。
【０００５】
特許文献３は背表紙にあたる中央部に軸を渡して所期の機能を果たそうというものであるが、前期同様、単機能でしかなく、構造上複雑なものになっている。
【０００６】
また、卓上マスコットとして特許文献４、特許文献５があげられる。
【０００７】
特許文献４は卓上マスコットとメニューなどを差し込めるようにしたスタンドを兼ねたものであるが、マスコットというよりは飾り物である。また、メニューなどのメモをはさむ機能しかなく、ページ押さえや文鎮、ペン挿し等の機能は有していない。
【０００８】
特許文献５は小物入れを少し改良した程度のもので、本発明のようなページ押さえや文鎮、ペン挿し等の機能は有していない。これもマスコットというよりは単なる置物である。
【先行技術文献】
【特許文献】
【０００９】
【特許文献１】実願平８−９９６４
【特許文献２】特開２００７−１１２１０１
【特許文献３】特開２００８−１００４９９
【特許文献４】特開２００３−１１２５００
【特許文献５】特開平９−１７３１９４
【発明の開示】
【発明が解決しようとする課題】
【００１０】
従来からあるこれらの公報記載のものや既知のクリップやペン挿し、メモ立て等は、単機能の物か、せいぜい２つの機能があるだけで、机上や卓上の様々な用途や多種多様な個人のニーズに全て応えるものではなかった。
また、長年愛用できるマスコット的な存在の物は１つもなく、置物か飾り物でしかなかった。本発明は、以上のような従来の問題点を解決するものである。
【課題を解決するための手段】
【００１１】
前記課題を達成するための手段として、以下に図面及び符号とともに説明する。本発明には、請求項２に記載したように様々な生物を模した物や請求項３に記載した無機物に複数の脚部や手部や首頭部や尾部やアーム部等を設けたものが考えられる。ここではカニの胴体1ａを本体とした実施態様を元に説明する。
【００１２】
図１において、内部に甲羅を外して小物を収納できる構造となっているカニの胴体1ａの本体の自立を補助する屈曲自在の脚部２ａや３ａを左右５本ずつ有し、当該合計１０本の脚部はいずれも屈曲自在であり、一定以上の圧力をかけなければその状態を保持し続ける関節部を有している。
【００１３】
この図１に示すカニの胴体1ａを本体とした実施態様では、該１０本の脚部の全ておよびその１部を使って本体を自立させることができ、残りの脚部に様々な機能を持たせることができる構造となっている。
【００１４】
カニのハサミに該当する３ｂは物を挟むことが可能で、ペンやメモ用紙等を挟み、それを自在な位置に保持させることができる。
【００１５】
また、別の左右の脚部の先端部に設けられ且つ滑り止め材料によって構成された係止部で開いた本の左右や一方を押さえることにより、読書中にページが勝手に捲れることなく、ページ押さえ具としての機能を果たすことができる。また、脚部は屈曲自在でどの位置にも保持可能であるため、どんなに分厚い書物でも開いたページを保持することができる。
【００１６】
また、前記記載の機能は、滑り止め材料のない別の脚部によっても可能で、このことは文鎮としての機能を有していることでもある。
【００１７】
また、脚部を自在に折り曲げたり、別の機能を有するユニットに取り換えることで、利用者の多様なニーズに応えることができる。
【００１８】
図４は、図１に示すカニの胴体1ａを本体とした実施態様の脚部に皿状ユニット４ａとＬ型ユニット４ｂを装着しハサミ部に直定規を挟んだ状態のカニの胴体1ａを本体とした実施態様の斜視図である。
【００１９】
皿状ユニット４ａには、机上の小物類（消しゴムや印鑑など）を載せて、それを自在な位置に保持させて利用することができる。
【００２０】
Ｌ型ユニット４ｂには、鍵や三角定規など小物類をひっかけて、それを自在な位置に保持させて利用することができる。
【００２１】
これらのユニットは、机上や卓上で必要なそれぞれの小物の大きさに応じた形状のものが考えられ、また、大き目のカップを脚部の先端に持たせたユニットに取り換えることで小物類の収納の役割を果たすことが可能で、全ての利用者のニーズに応えることができる。
【００２２】
図５は、キリンの胴体１０ａを本体とした本発明の実施態様の斜視図である。
【００２３】
屈曲自在の関節２０ａを有する脚部を前後に開き、脚部の先端部に設けられ且つ滑り止め材料によって構成された係止部で開いた本の左右や一方を押さえることにより、読書中に本ページが勝手に捲れることなく、ページ固定用クリップの機能を果たすことができる。
【００２４】
このことは、前記記載のカニの胴体１ａを本体とした実施態様と同様に、文鎮としての機能を有することになる。
【００２５】
また、本発明のキリンの胴体１０ａを本体とした実施態様のキリンの口部に利用者の多様なニーズに応えるユニットを装着させることにより、多機能型のページ押さえ具となる。
【００２６】
図６は、首頭部で本のページを押さえている本発明のキリンの胴体１０ａを本体とした実施態様の斜視図である。
【発明の効果】
【００２７】
本発明のページ押さえ具を利用することにより、長年愛用できる書物のページ押さえとしての機能のみならず、文鎮やペン挿しやメモ立て等多くの用途に活用できるようになった。
【００２８】
また、機能性だけではなく、手脚部が屈曲自在に曲げることができ且つその位置を保持できるので、本物の命を宿すかの如く机上のマスコットとして、長年愛用できる親しみのあるものとなった。
【００２９】
また、利用の仕方により、机上でも食卓上でも書棚や飾り棚上でもマスコットとして活用し得るものになる。
【００３０】
また、食卓上では、箸置きや箸立て、スプーン立て、醤油や食卓塩置きとしても活用できる。
【図面の簡単な説明】
【００３１】
【図１】カニの胴体１ａを本体とした実施態様の斜視図
【図２】先端部が皿状ユニット４ａの斜視図
【図３】先端部がＬ型ユニット４ｂの斜視図
【図４】４ａと４ｂを装着し、直定規８をハサミ部に挟んだカニの胴体を本体とした実施態様の斜視図
【図５】キリンの胴体を本体とし、ペンユニット４ｃを装着した実施態様の斜視図
【図６】キリンの胴体を本体とした実施態様の斜視図
【符号の説明】
【００３２】
１ａ    カニの胴体を実施態様とした本体
２ａ    カニの胴体を実施態様とした屈曲自在の脚部
３ａ    カニの胴体を実施態様とした屈曲自在の脚部の先端部
３ｂ    カニの胴体を実施態様とした脚部の先端部のハサミ部
４ａ    カニの胴体を実施態様とした屈曲自在の脚部の先端部が皿状のユニット
４ｂ    カニの胴体を実施態様とした屈曲自在の脚部の先端部がＬ型のユニット
５００  メモ用紙
６００  ペン
７００  ページを開いた本の１部
８００  直定規あるいはしおり
１０ａ  キリンの胴体を実施態様とした本体
２０ａ  キリンの胴体を実施態様とした屈曲自在の脚部の関節部
３０ａ  キリンの胴体を実施態様とした屈曲自在の首頭部
３０ｂ  キリンの胴体を実施態様とした屈曲自在の尾部
４０ｃ  キリンの胴体を実施態様とした口蓋部に装着するペンユニット
【図１】
2013233666.tif 000003
【図２】
2013233666.tif 000004
【図３】
2013233666.tif 000005
【図４】
2013233666.tif 000006
【図５】
2013233666.tif 000007
【図６】
2013233666.tif 000008